(57)【要約】      （修正有）【課題】食器に直接立て掛けて汁分の多い飲食物の汁分が飛散するのを防ぐ。【解決手段】器５に入った汁分の多い飲食物を飲食する際に器の縁に立て掛けられて飲食物が飲食者に飛散するのを防ぐ飛散防止具であり、この飛散防止具が飛散する汁分を遮る遮蔽部１と、遮蔽部の下部両側に形成されて器の縁の外面又は内面にあてがわれる側方舌片部２と、側方舌片部と切断線を隔てて下部中央に形成され、側方舌片部とで器の縁を前後から挟む中央舌片部４とで形成される。【選択図】図２
2017018385.tif 000002
【特許請求の範囲】
【請求項１】
器に入った汁分の多い飲食物を飲食する際に器の縁に立て掛けられて飲食物が飲食者に飛散するのを防ぐ飛散防止具であり、この飛散防止具が飛散する汁分を遮る遮蔽部と、遮蔽部の下部両側に形成されて器の縁の外面又は内面にあてがわれる側方舌片部と、側方舌片部と切断線を隔てて下部中央に形成され、側方舌片部とで器の縁を前後から挟む中央舌片部とで形成されることを特徴とする食器内汁分の飲食時飛散防止具。
【請求項２】
遮蔽部に容易に折れて原形復帰し難い折れ線が一つ又は二つ横方向に形成される請求項１の食器内汁の飲食時飛散防止具。
【請求項３】
飛散防止具が紙、経木、樹脂である程度厚みがあるものである請求項１又は２がの食器内汁の飲食時飛散防止具。
【発明の詳細な説明】
【技術分野】
【０００１】
本発明は、丼や椀といった食器に入っている汁分(つゆも同じ)を含む飲食物を飲食するときに、汁分が飛び散って飲食者の衣服にかかるのを防ぐ飛散防止具に関するものである。
【背景技術】
【０００２】
ラーメンやうどんといった麺類、カレーやシチューといった汁分が多い食べ物を飲食するときには、気をつけていても汁分が飛び散り、衣服にかかる。この汚れはなかなか落ちず、厄介なものである。特に色がついたものは落ちが更に悪い。このため、ナプキン等をすることがあるが、これらは飲食者が身につけるものであり、大掛かりになり、嫌う者もいる。しかも、これを用いるのは本格的な食事のときであり、簡単なラーメンやカレーのときに身に着けるのは面倒である。
【０００３】
そこで、丼や椀に必要なときに取り付け、用が済めば外すことができる簡単な飛散防止具があれば便利である。しかし、このようなものは見当たらない。ただ、下記特許文献1には、揚げ鍋に取り付けて油が周囲に飛び散らないようにしたものが記されている。しかし、これは油の周囲への飛散防止であり、取付けも直接鍋に取り付けるものではない。また、下記特許文献２にはラーメン等の茹でざるに茹でた麺を丼に落とす際に落とし口にせり出して来て麺の落下速度を低下させて飛沫が飛散するのを防ぐ規制部を取り付けたものが示されている。しかし、これも飲食する際に食器から飛散した汁分が飲食者にかかるのを防ぐものではない。
【先行技術文献】
【特許文献】
【０００４】
【特許文献１】特開２０１１−２５１１０４公報
【特許文献１】特開２００６−０５５５６７公報
【発明の概要】
【発明が解決しようとする課題】
【０００５】
本発明が解決しようとする課題は、飲食時に器に簡単に着脱できて汁分の飛散を防止できる飛散防止具を提供しようとしたものである。
【課題を解決するための手段】
【０００６】
以上の課題の下、本発明は、請求項１に記載した、器に入った汁分の多い飲食物を飲食する際に器の縁に立て掛けられて飲食物が飲食者に飛散するのを防ぐ飛散防止具であり、この飛散防止具が飛散する汁分を遮る遮蔽部と、遮蔽部の下部両側に形成されて器の縁の外面又は内面にあてがわれる側方舌片部と、側方舌片部と切断線を隔てて下部中央に形成され、側方舌片部とで器の縁を前後から挟む中央舌片部とで形成されることを特徴とする食器内汁分の飲食時飛散防止具を提供したものである。。
【０００７】
これにおいて、本発明は、請求項２に記載した、遮蔽部に容易に折れて原形復帰し難い折れ線が一つ又は二つ横方向に形成される手段、請求項３に記載した、飛散防止具が紙、経木、樹脂である程度厚みがあるものである手段を提供する。
【発明の効果】
【０００８】
請求項１の発明によると、飛散防止具は器そのものに取り付けるものであるから大掛かりにならず、取付けも簡単である。つまり、中央舌片部を上方の折り線で前方に曲げて器の中に入れ、側方舌片部とで器の縁を前後から挟むだけでよい。加えて素材は小片の紙が主体であるから安価である。この点で使い捨てにすればよく、飲食店が用意して必要とする客に出せばよい。また、経木や樹脂製のものも考えられるが、使い捨てが勿体なければ洗って再使用すればよい。
【図面の簡単な説明】
【０００９】
【図１】本発明に係る食器内汁分の飲食時飛散防止具を器に取り付けた状態の平面図である。
【図２】本発明に係る食器内汁分の飲食時飛散防止具を器に取り付けた状態の断面図である。
【図３】本発明に係る食器内汁分の飲食時飛散防止具の斜視図である。
【図４】飲食時飛散防止具の他の例を器に取り付けた状態の断面図である。
【発明を実施するための形態】
【００１０】
以下、本発明の実施の形態を図面を参照して説明する。図１は本発明に係る飲食時飛散防止具を器に取り付けた状態の平面図、図２は断面図、図３は飛散防止具の斜視図、図４は他の例の断面図であるが、この飛散防止具Ａは紙、経木、樹脂からなる一枚の薄い板である遮蔽部１を主体とする。そして、遮蔽部１の下部両側を側方舌片部２とし、中央を側方舌片部２と切断線３を隔てて設けられる中央舌片部４とする。これらの大きさは汁分の多い飲食物を入れる器５に取り付けるものであるから、それに応じたものにする必要があり、具体的には、例えば、ラーメンやうどんの器５では、幅が２００mm、高さは遮蔽体１部分が１００mmで側方舌片部２を含めて１６０mm程度がよいが、これに限定するものではない。なお、中央舌片部４の幅は側方舌片部２よりも狭いのが適する。
【００１１】
次に、以上の飛散防止具Ａの使い方について説明する。飲食店で飲食物が器５に入れて出されたとき(家庭の飲食物でもよい)、飲食者は飛散防止具Ａの中央舌片部４の上辺を前方に折り曲げて側方舌片部２からずらせておく。このため、中央舌片部４の上辺にその線に沿って容易に折れ、しばらく原形復帰しない折れ線６をつけておく。もちろん、折れ線６を折ったために破壊されるものではならない。また、中央舌片部４の中ほどにも折れ線６を横に形成しておく。これにより、中央舌片部４を折れ線６で折って前方に倒せば中央舌片部４は鍵形(Ｌ字形)になる。次いで、鍵形の部分を器５の縁７の上部に載せる。すると、中央舌片部４の折れ線６の裏面が器５の縁７の上部の内周に、側方舌片部２の下部が縁７の下部の外周に当たり、飛散防止具Ａはこの姿勢で固定される。この姿勢の強化のため、飛散防止具Ａはある程度の厚みを有するものが適する。
【００１２】
このことから、中央舌片部４の丈は中の飲食物に漬からないように側方舌片部２の丈よりも短くしておくのが好ましい(具体的には２０mm程度)。なお、器５の縁７への引っ掛けについては、中央舌片部４が後方(器５の外側)で側方舌片部２が前方(器５の中)であってもよい。要は、器５に飲食の間固定されればよいのである。ところで、器５の大きさや縁７の勾配も様々であるから、勾配の立った縁７の場合、上記のやり方では姿勢が安定しないことがある。
【００１３】
そこで、中央舌片部４の少し上に前方に折れ易くする折れ線６を、そのやや上に後方に折れ易くる折れ線６をそれぞれ横に形成しておき、縁７の勾配等に応じて適宜前方又は後方に折っておく。なお、上下の折れ線６からの折り曲げは前後逆であってもよいし、二つ使わなくてもよい。ところで、以上の折れ線６であるが、折ろうとするラインに沿って容易に折れれば何でもよい。例えば、一度折っておくことやミシン目や溝を形成するものでもよいが、長持ちがするものは、図４の拡大図のように反折曲側に低い凸状６aを形成しておくものが考えられる。
【００１４】
以上の飛散防止具Ａが器５に装着できたなら、飲食者は飛散防止具Ａを器５と身体の間に置き、箸等で飲食する。このとき、箸等は遮蔽部１の上方で使うことになるが、この点で、遮蔽部１の中央は下方に少し凹ませた方が適するし、各角部はアールにしておくのが安全上好ましい。飲食に伴って汁分が飛散したりするが、それを遮蔽部１が遮り、衣服等にはかからない。このとき、遮蔽部１の高さ(丈)を１００mm程度としたのは、確実に汁分を遮るのと飲食に邪魔にならないことを勘案してのものである。さらに、上記したように、遮蔽部１の角度を変えることも有意義である。なお、器５の縁７に口を付けることはできないので、汁を飲むとき等は器５を回すか飛散防止具Ａを別の位置に取り付け直すかする必要がある。
【００１５】
以上の飛散防止具Ａは、安価であるから、通常は店側が用意することになる。また、各個人が用意して家庭で使ってもよい。製作はプレスでよいから、大量に製作してストックしておけばよい。そして、紙製のものであれば使用後は廃棄するし、コーティング等を施して耐久性を持たせれば洗って繰り返し使用ができる。なお、経木や樹脂製のものであればさらに長持ちがする。この他、適用対象はラーメン等の器５に限らず、汁分の多い飲食物が入ったものであれば何でもよい。ただし、サイズはそれに応じたものにしておく。
【符号の説明】
【００１６】
１  遮蔽部
２  側方舌片部
３  切断線
４  中央舌片部
５  器
６  折れ線
６  折れ線の凸条
７  縁
【図１】
2017018385.tif 000003
【図２】
2017018385.tif 000004
【図３】
2017018385.tif 000005
【図４】
2017018385.tif 000006